(57)【特許請求の範囲】
【請求項１】
無線通信装置で、受信した閉ループ電力制御コマンドに応じて遠隔局の伝送エネルギーを制御する方法であって、
(a)リバースリンク信号のゲート出力された部分に基づいて生成された前記閉ループ電力制御コマンドの１つを、前記閉ループ電力制御コマンドの予め定めたパターンに基づいて認識する認識ステップと、
(b)前記認識ステップによって認識がなされると伝送エネルギーの調節を行う調節ステップと
を備えた方法。
【請求項２】
請求項１に記載の方法において、
前記認識ステップでは、
交互の電力制御コマンドによって構成されている前記閉ループ電力制御コマンドの１セットにおける伝送エネルギーを増加するように、前記遠隔局に対して要求しながら、予め定めた数の電力制御ビット信号評価結果を受信することによって前記認識を行う方法。
【請求項３】
請求項１に記載の方法において、
前記認識ステップでは、
４つの電力制御コマンドからなる交互のグループによって構成されている前記閉ループ電力制御コマンドの１セットにおける伝送エネルギーを増加するように、前記遠隔局に対して要求しながら、予め定めた数の電力制御ビット信号評価結果を受信することによって前記認識を行う方法。
【請求項４】
請求項１に記載の方法において、
前記認識ステップでは、
８つの電力制御コマンドからなる交互のグループによって構成されている前記閉ループ電力制御コマンドの１セットにおける伝送エネルギーを増加するように、前記遠隔局に対して要求しながら、予め定めた数の電力制御ビット信号評価結果を受信することによって前記認識を行う方法。
【請求項５】
請求項１に記載の方法において、
前記調節ステップは、前記伝送エネルギーの調節を阻止することを含んだ方法。
【請求項６】
請求項１に記載の方法において、
前記調節ステップは、
リバースリンク信号のゲート出力された部分に基づいて生成された前記閉ループ電力制御コマンドのうちの１つに応じてなされた前回の調節の数に基づく前記伝送エネルギーを、修正することによって調節することを含んだ方法。
【請求項７】
請求項１に記載の方法において、
前記調節ステップは、前記伝送エネルギーの調節を再開することを含んだ方法。
【発明の詳細な説明】
【０００１】
【技術分野】
本発明は、通信技術に係り、更に詳しくは、無線通信システムにおける伝送エネルギーを制御するための斬新で改良された方法と装置に関する。
【０００２】
【従来の技術】
コード分割複数アクセス（Code Division Multiple Access: CDMA）変調技術は、多くのシステムユーザーが存在する場合における通信を容易にするための技術の一つとして用いられている。この技術分野では、時間分割複数アクセス（Time Division Multiple Access: TDMA）や、周波数分割複数アクセス（Frequency Division Multiple Access: FDMA）など、他の複数アクセス通信システム技術も知られている。しかしながら、CDMAの拡散スペクトル変調技術(spread spectrum modulation technique)は、複数アクセス通信システムとして、上述したような変調技術に対して、際だった長所を備えている。複数アクセス通信システムにおけるCDMA技術の用途は、米国特許4,901,307号「SPREAD SPECTRUM MULTIPLE ACCESS COMMUNICATION SYSTEM USING SATELLITE OR TERRESTRIAL REPEATERS」で開示されている。なお、この特許は、本願発明の譲受人に譲渡されているとともに、本願発明の参考文献として用いられている。複数アクセス通信システムにおけるCDMA技術の用途は、更に、米国特許5,103,459号「SYSTEM AND METHOD FOR GENERATING SIGNAL WAVEFORMS IN A CDMA CELLULAR TELEPHONE SYSTEM」でも開示されている。この特許もまた、本願発明の譲受人に譲渡されているとともに、本願発明の参考文献として用いられている。
【０００３】
ワイドバンド信号という固有の性質によるＣＤＭＡは、信号のエネルギーを広範なバンド幅に亘って拡散することによって、周波数多様性の形態を提供する。従って、周波数の選択的な減衰は、ＣＤＭＡ信号バンド幅の極一部にのみしか影響しない。空間すなわちパスの多様性は、複数の信号パスを備えることによって得られる。この複数の信号パスは、２つ以上のセルサイトを介したモバイルユーザからの同時リンクを介している。さらに、パスの多様性は、マルチパス環境を利用することによって得られる場合もある。このマルチパス環境は、異なる伝搬遅れが受信され、個別処理を可能とする拡散スペクトル処理によるものである。パスの多様性の例は、米国特許 5,101,501号「METHOD AND SYSTEM FOR PROVIDING A SOFT HANDOFF IN COMMUNICATIONS IN A CDMA CELLULAR TELEPHONE SYSTEM」と、米国特許5,109,390号「DIVERSITY RECEIVER IN A CDMA CELLULAR TELEPHONE SYSTEM」で開示されている。上記何れの特許もまた本願発明の譲受人に譲渡されているとともに、本願発明の参考文献として用いられている。
【０００４】
高品質な会話認識力を維持しつつ、性能を向上させるという特有の長所を備えたデジタル通信システムにおける伝送方法は、可変速スピーチエンコーディングの利用によってなされる。特に有益な可変速スピーチエンコーダの方法と装置は、米国特許5,414,796号「VARIABLE RATE VOCODER」に詳しく記載されている。この特許も本願発明の譲受人に譲渡されているとともに、本願発明の参考文献として用いられている。
【０００５】
スピーチエンコーダが、スピーチデータを最大速度で提供する場合には、可変速スピーチエンコーダを利用することによって、最大スピーチデータ能力のデータフレームを提供している。可変速スピーチエンコーダが、最大速度以下の速度でスピーチデータを提供している場合には、伝送フレームは過剰な性能を備えていることになる。固定型の予め定められたサイズの伝送フレームにおいて付加データを伝送する方法は、米国特許5,504,773号「METHOD AND APPARATUS FOR THE FORMATTING OF DATA FOR TRANSMISSION」に詳細に記載されている。この特許も本願発明の譲受人に譲渡されているとともに、本願発明の参考文献として用いられている。データフレーム用のデータソースは、可変速データを提供する。上記の特許出願書では、伝送用データフレームにおける異なるソースから得られる、異なるタイプのデータを結合する方法および装置が開示されている。
【０００６】
予め定められた能力以下のデータを含んでいるフレームでは、電力消費量は、データを含んでいるフレームの極一部のみが伝送されるように、伝送増幅器をゲートしている伝送によって減少される可能性がある。さらに、万が一、予め定められた疑似ランダム処理に従ってデータがフレームに配置された場合には、通信システムにおけるメッセージ衝突を回避することができるかもしれない。伝送をゲートし、データをフレームに配置する方法と装置は、米国特許5,659,569号で開示されている。この特許は、本願発明の譲受人に譲渡されているとともに、本願発明の参考文献として用いられている。
【０００７】
通信システムにおけるモバイルの電力制御のための有効な方法は、基地局において、無線通信装置から受信された信号の電力を監視することである。監視された電力レベルに応じて、基地局は、電力コントロールピットを無線通信装置に等時間間隔で送信する。このような方法で伝送電力を制御する方法および装置は、米国特許5,056,109号「METHOD AND APPARATUS FOR CONTROLLING TRANSMISSION POWER IN A CDMA CELLULAR MOBILE TELEPHONE SYSTEM」にて開示されている。この特許は、本願発明の譲受人に譲渡されているとともに、本願発明の参考文献として用いられている。
【０００８】
ＱＰＳＫ (Quadrature Phase Shift Keying) 変調形式を使ってデータを提供する通信システムでは、極めて有効な情報を、ＱＰＳＫ信号のＩ成分とＱ成分とのクロスプロダクトを用いることによって得ることができる。この２つの成分の相対的な位相を把握することによって、基地局に対する無線通信装置の速度を概算することができる。ＱＰＳＫ変調通信システムにおけるＩ成分とＱ成分のクロスプロダクトを決定するための回路に関する記載は、米国特許5,506,865号「PILOT CARRIER DOT PRODUCT CIRCUIT」で開示されている。この特許は、本願発明の譲受人に譲渡されているとともに、本願発明の参考文献として用いられている。
【０００９】
デジタル情報を高速度で伝送することができるように、無線通信システムに対する要求が増えてきている。高速デジタルデータを、無線通信装置から中央基地局へと送信するための１つの方法は、無線通信装置から、ＣＤＭＡの拡散スペクトル技術を用いたデータを送信することである。また、提案されているもう一つの方法は、直角なチャンネルの小さいセットを使って、無線通信装置から情報を伝送することである。そのような方法は、現在係争中である米国特許出願08/886,604号「HIGH DATA RATE CDMA WIRELESS COMMUNICATION SYSTEM」に詳細に記載されている。この出願は、本願発明の譲受人に譲渡されているとともに、本願発明の参考文献として用いられている。
【００１０】
上記出願では、基地局において、リバースリンク信号のコヒーレントな復調を可能にするために、パイロット信号をリバースリンク（無線通信装置から基地局へのリンク）上で送信するシステムが開示されている。パイロット信号データを使い、リバースリンク信号の位相オフセットを決定したり、あるいは除去したりすることによって、コヒーレントな処理が基地局においてなされるようになる。また、パイロットデータは、傾斜レシーバーにおいて結合される前に、種々の時間遅滞によって受信されたマルチパス信号に、最適な重み付けを行うことも可能である。一旦位相オフセットが取り除かれ、マルチパス信号に適切な重み付けが行われると、マルチパス信号は、適切な処理のために受信を要するリバースリンクにおける電力を減少するために結合することができる。必要な受信電力における減少は、より大きい伝送速度を問題なく処理するか、あるいはその逆に、１セットのリバースリンク信号間干渉を減少させる。
【００１１】
パイロット信号の伝送には、追加伝送電力が必要となる。その一方で、より高速の伝送速度環境では、全リバースリンク信号電力に対するパイロット信号電力の割合は、低データ転送速度のデジタル音声データ伝送携帯電話システムの場合よりも実質的に低い。従って、高いデータ転送速度のＣＤＭＡシステムを用いることにより、コヒーレントなリバースリンクにより達成されるＥｂ／Ｎ０ゲインは、無線通信装置からのパイロットデータを伝送するのに必要な追加電力に打ち勝つ。
【００１２】
しかしながら、データ転送速度が相対的に低い場合には、リバースリンクで連続的に伝送されたパイロット信号は、データ信号に対して相対的に高いエネルギーを含んでいる。低い転送速度においては、連続的に伝送されたリバースリンクパイロット信号によってもたらされたコヒーレントな復調と、干渉の減少とによってもたらされる利点は、通話時間の減少と、何らかのアプリケーションにおけるシステム性能にしのがれてしまう。
【００１３】
【発明の開示】
本発明は、可変速通信システムにおける伝送エネルギーを制御する斬新でかつ改良された方法およびシステムに係る。この可変速通信システムは、予め定められ、かつ断定可能な方式で、フレームの一部をゲート出力するものである。特に、本発明は、ゲートされたフレームの一部に基づいて誤って生成された閉ループ電力制御コマンドを認識する方法と装置を記述している。認識された電力制御コマンドは無視される。別の実施例では、万が一、誤った電力制御コマンドの認識が、応答処理後になされた場合について記載している。この場合、伝送局は、伝送エネルギーを、この応答前に識別された、誤った電力制御コマンドの元の状態に戻すことによって応答する。
【００１４】
【発明の好適な実施形態】
図１は、無線通信装置５０において具体化された本発明の伝送システムの典型例を示す機能ブロック図である。本明細書で記載された方法は、当業者によって、図示していない中央基地局からの伝送の場合にも同様に適用可能なことが理解されるであろう。また、図１に示された機能ブロックの各々は、本発明の他の実施例では示していないことも理解されよう。図１の機能ブロック図は実施例に対応している。この実施例は、ＴＩＡ／ＥＩＡ規格ＩＳ−９５Ｃに基づく動作に有効である。また、ＩＳ−２０００に対しても留意されている。本発明の他の実施例は、規格団体であるＥＴＳＩとＡＲＩＢにより提案されているワイドバンドＣＤＭＡ（ＷＣＤＭＡ）規格を含む他の規格に対して有効である。ＷＣＤＭＡ規格におけるリバースリンク変調と、ＩＳ−９５Ｃ規格におけるリバースリンク変調との間の広範にわたる類似性によって、ＷＣＤＭＡ規格へ本発明を拡張することが容易であることは、本技術分野における当業者によって理解される。
【００１５】
図１の典型例では、無線通信装置は、複数の個別の情報チャンネルを伝送する。この情報は、前記米国特許出願08/886,604号に記載されている短い直交拡散シーケンスによってお互いに識別されている。５つの個別のコードチャンネルが、無線通信装置によって伝送される。この無線通信装置とは、１）第１の補足データチャンネル３８、２）パイロットと電力制御符号とが同時に伝送されたチャンネル４０、３）専用の制御チャンネル４２、４）第２の補足データチャンネル４４、５）基本チャンネル４６を備えている。第１の補足データチャンネル３８と、第２の補足データチャンネル４４とは、ファクシミリ、マルチメディアアプリケーション、ビデオ、電子メールメッセージ、あるいは他の形式のデジタルデータなどといった基本チャンネル４６の能力を越えたデジタルデータを搬送する。パイロットと電力制御シンボルが同時に伝送されたチャンネル４０は、基地局によってなされるデータチャンネルのコヒーレントな復調を考慮してパイロットの符号を搬送する。また、基地局、あるいは無線通信装置５０を用いて互いに通信している基地局の伝送エネルギーを制御するために電力制御ビット信号を搬送する。コントロールチャンネル４２は、制御情報を基地局に搬送する。制御情報とは、例えば、無線通信装置５０の動作モード、無線通信装置５０の能力、およびその他の必要な信号情報である。基本チャンネル４６は、主情報を無線通信装置から基地局へと主情報を搬送するのに用いられるチャンネルである。スピーチを伝送する場合には、基本チャンネル４６がスピーチデータを搬送する。
【００１６】
補足データチャネル３８，４４は、図示しない手段によって符号化および加工された後に、変調器２６に出力される。電力制御ビット信号は、反復ジェネレータ２２へ出力される。反復ジェネレータ２２は、電力制御ビット信号を反復させてから、マルチプレクサ（ＭＵＸ）２４へ出力する。マルチプレクサ24では、冗長な電力制御ビット信号が、パイロット符号と同時に伝送され、ライン４０を介して変調器２６へと出力される。
【００１７】
メッセージジェネレータ１２は、必要な制御情報メッセージを生成し、ＣＲＣおよびテイルビット信号ジェネレータ１４に、制御メッセージを出力する。ＣＲＣおよびテイルビット信号ジェネレータ１４は、基地局における復号精度をチェックするために用いられたパリティビット信号である周期的冗長検査ビット信号を一組付加する。更に、基地局受信器サブシステムにおいて、デコーダのメモリをクリアするために、制御メッセージに対して、予め定めらされた組のテイルビット信号を付加する。その後、このメッセージはエンコーダ１６に出力される。エンコーダ１６は、この制御メッセージにフォワードエラー修正コードを与える。符号化された符号は、反復ジェネレータ２０に出力される。反復ジェネレータ２０は、この符号化された符号を、伝送時に、付加的な時間多様性に対して繰り返し与える。後続する反復ジェネレータ確定符号は、フレーム内に予め定められた数の符号を備えるために、穴開け素子（ＰＵＮＣ）１９によって、予め定められた穴開けパターンに従って穴が開けられる。その後、この符号はインターリーバ１８に出力される。インターリーバ１８は、予め定められたインターリーバ形式に従って符号を再加工する。このようにインターリーブされた符号は、ライン４２を介して変調器２６に出力される。
【００１８】
可変速データ送信ソース1は、可変速データを生成する。典型的な実施例として、可変速データソース１は、前述した米国特許5,414,796号に記載されている可変速音声エンコーダである。可変速音声エンコーダは、無線通信において広く用いられている。なぜなら、可変速音声エンコーダを用いることによって、無線通信装置のバッテリー寿命が延びるとともに、認識された音質に対する影響を最小にすることによってシステム性能を高めるからである。電気通信工業協会（Telecommunications Industry Association）は、Ｉｎｔｅｒｉｍ規格ＩＳ−９６や、Ｉｎｔｅｒｉｍ規格ＩＳ−７３３といった規格の中で、最も一般的な可変速音声エンコーダを成文化している。このような可変速音声エンコーダは、声の動きのレベルに応じて、完全速度、１／２速度、１／４速度、あるいは１／８速度といったように、４つの可能な速度において音声信号を符号化する。速度は、音声のフレームを符号化するために用いられるビット信号数を示しており、フレーム毎を原則として変化する。完全速度では、予め定められた最大数のビット信号を用いてフレームを符号化する。１／２速度では、予め定められた最大数の半数のビット信号を用いてフレームを符号化する。１／４速度では、予め定められた最大数の１／４の数のビット信号を用いてフレームを符号化する。１／８速度では、予め定められた最大数の１／８の数のビット信号を用いてフレームを符号化する。
【００１９】
可変速データソース１は、符号化された音声フレームをＣＲＣおよびテイルビット信号ジェネレータ２に出力する。ＣＲＣおよびテイルビット信号ジェネレータ２は、基地局における復号精度をチェックするために用いられたパリティビット信号である周期的冗長検査ビット信号を一組付加する。更に、基地局において、デコーダのメモリをクリアするために、制御メッセージに対して、予め定めらされた組のテイルビット信号を付加する。その後このフレームはエンコーダ４に出力される。エンコーダ４は、フォワードエラー修正コードを音声フレームに与える。符号化された符号は、反復ジェネレータ８に出力される。この反復ジェネレータ８は、この符号化された符号を繰り返し出力する。後続する反復ジェネレータ確定符号は、フレーム内に予め定められた数の符号を備えるために、穴開け素子９によって、予め定められた穴開けパターンに従って穴が開けられる。その後、この符号はインターリーバ６に出力される。インターリーバ６は、予め定められたインターリーバ形式に従って符号を再加工する。このインターリーブされた符号は、ライン4６を介して変調器２６に出力される。
【００２０】
典型的な実施例では、変調器２６は、コード分割複数アクセス変調形式に従ってデータチャンネルを変調し、変調した情報をトランスミッタ２８（ＴＭＴＲ）に出力する。そして、トランスミッタ２８は、この信号を増幅し、フィルタ処理してから、デュプレクサ３０を介してアンテナ３２から出力する。
【００２１】
典型的な実施例では、可変速データソース１は、符号化されたフレームの速度に対する信号指示を、コントロールプロセッサ３６に送信する。この速度指示に応じて、コントロールプロセッサ３６は、制御信号をトランスミッタ２８に出力する。トランスミッタ２８は、伝送エネルギーを表示する。
【００２２】
ＩＳ−９５とｃｄｍａ２０００システムでは、20ミリ秒幅のフレームは、電力制御グループに着目されることによって、等符号数の１６のセットに分割される。電力制御に対する関連性は、各々の電力制御グループについて、フレーム受信している基地局は、基地局において受信されたリバースリンク信号の必要量の決定に対する電力制御コマンドを出力する、という事実に基づいている。
【００２３】
図３から図５は、時間（電力制御グループにおける）に対する伝送エネルギーを、３つの伝送速度、すなわち完全速度、１／２速度、１／４速度に対して示している。さらに、図６から図９は、時間の半分がエネルギーが伝送されない１／８速度フレームにおける伝送に対する４つの互いに異なる４つの実施例を示している。完全速度よりも小さいフレームに導入された速度は、より冗長性があるので、符号が伝送されたエネルギーは、フレームにおいて追加された冗長量に対してほぼ比例するように減少する。
【００２４】
図３では、完全速度フレーム３００について、各々の電力制御グループＰＣＧ０からＰＣＧ１５が、エネルギーＥで伝送されている。単純化のために、各フレームは、フレームの持続時間に亘って一定のエネルギーで伝送されている状態を示している。当業者であれば、エネルギーはフレームに亘って変化すること、また図３から図９に示されることは、フレームが外乱の無い状態で伝送されるベースラインエネルギーにおいて考えられるということを理解するであろう。典型的な実施例では、遠隔局５０は、閉ループ電力制御コマンドに対して応答する。この閉ループ電力制御コマンドは、基地局からのもの、および受信されたフォワードリンク信号に基づいて内部生成された開ループ電力制御コマンドからのものがある。電力制御アルゴリズムに対する応答は、フレームの持続時間に亘って、伝送エネルギーを変化させる。
【００２５】
図４に示すように、１／２速度フレーム３０２におけるエネルギーは、予め定められた最大レベルの１／２であるＥ／２に等しい。これは図４に示されている。このようなインターリーバ構造は、このようにして、繰り返された符号をフレームに亘って出力することによって、最大の時間多様性を実現する。
【００２６】
図５に示すように、１／４速度伝送３０４では、フレームは、予め定められた最大レベルのおおよそ１／４であるＥ／４のときに伝送される。典型的な実施例では、完全速度、１／２速度、および１／４速度での伝送中は、パイロット信号が連続的に伝送される。しかしながら、図６から図９に示すように、トランスミッタ２８は、フレームの半分の伝送をゲートする。典型的な実施例では、トラフィックチャンネル伝送がゲートオフされている間は、パイロットチャンネルもまたゲートオフされ、バッテリー消費量を抑えるとともにリバースリンク能力を増加させる。各実施例に示すように、フレームは、５０％負荷サイクルで伝送される。この場合、時間の半分において、伝送エネルギーがゲートオフされる。フレームが伝送されている間は、エネルギーは、１／４速度フレームが伝送されるＥ／４におおよそ変更される。しかしながら、発明者は、広範なシミュレーションに基づいて、好適な平均エネルギー、すなわちベースラインエネルギーを決定した。このベースラインエネルギーは、１／８速度フレームを送信する場合、別の実施例のおのおのに対しても伝送されるべきである。このエネルギーは、伝送時における信頼性のレベルを維持しながら、バッテリーの節約効果と、リバースリンク能力とを最大にするために計算されている。
【００２７】
第１の実施例では、図６に示すように、フレームは1.25ミリ秒間隔で交互にゲートオフされながら伝送される。従って、トランスミッタ２８は、初めの1.25ミリ秒はまずゲートオフされている。第２の電力制御グループ（ＰＣＧ１）は、1.25ミリ秒に亘ってエネルギーＥ１で伝送される。第３の電力制御グループ（ＰＣＧ２）は、ゲートオフされる。ここに示す実施例では、全ての偶数番目の電力制御グループＰＣＧＳ（0、2、4、6、8、10、12、および14）がゲートオフされている間、全ての奇数番目の電力制御グループＰＣＧＳ（1、3、5、7、9、11、13、および15）が伝送されている。このような穴開き構造は、繰り返された符号の半分を廃棄するものであって、個々の伝送された符号に対するおおよそ４つのバージョンを備えている。好適な第１の実施例では、この符号は、平均エネルギー、すなわちベースラインエネルギーとして0.385Ｅで伝送される。典型的な実施例では、トランスミッタ２８のゲーティングは、フレームの最後の部分がゲートオフされないようにしてなされる。これは好ましいことである。というのも、受信基地局から送信される重要な閉電力制御コマンドが、次のフレームにおける信頼できる伝送を助長できるようになるからである。
【００２８】
本発明における好適な実施例である第２の実施例では、図７に示されているように、フレームは2.5ミリ秒間隔で交互にゲートオフされるように伝送される。図７に示すような伝送方法では、好ましいことに、最適なバッテリー節約効果と、最大のリバースリンク能力とがもたらされる。初めの2.5ミリ秒間（ＰＣＧ０とＰＣＧ１）は、トランスミッタ２８はゲートオフされる。そして、トランスミッタ２８は、次の2.5ミリ秒間（ＰＣＧ２とＰＣＧ３）ゲートオンされる。この実施例において、ＰＣＧＳ 2、3、6、7、10、11、14、および15はゲートオンされる一方、ＰＣＧＳ 0、1、4、5、8、9、12、および13はゲートオフされる。この実施例においてゲートオフがなされている間は、上述したような穴開き構造は、繰り返された符号の半分を正確に廃棄する。この好適な第２の実施例において、この符号は、平均エネルギー、すなわちベースラインエネルギーが0.32Ｅにおいて伝送される。
【００２９】
第３の実施例では、図８に示されているように、フレームは5.0ミリ秒間隔でゲートオフされながら伝送される。初めの5.0ミリ秒間（ＰＣＧ０からＰＣＧ３）は、トランスミッタ２８はゲートオフされる。そして、次の5.0ミリ秒間隔において、ＰＣＧＳ 4、5、6、および7が送信される。この実施例において、ＰＣＧＳ 0、1、2、3、8、9、10、および11はゲートオフされる一方、ＰＣＧＳ 4、5、6、7、12、13、14、および15はゲートオンされる。この実施例においてゲートオフがなされている間は、上述したような穴開き構造が、繰り返された符号の半分を正確に廃棄する。この好適な第３の実施例において、この符号は、平均エネルギー、すなわちベースラインエネルギーが0.32Ｅにおいて伝送される。
【００３０】
第４の実施例では、図９に示されているように、フレームは10ミリ秒間隔でゲートオフされながら伝送される。そして次の10ミリ秒の間に、ＰＣＧＳ 8から15までが伝送される。この実施例において、ＰＣＧＳ 0, 1, 2, 3, 4, 5, 6, 7はゲートオフされる一方、ＰＣＧＳ 8, 9, 10, 11, 12, 13, 14, 15はゲートオンされる。この実施例において、ゲートオフがなされている間は、上述したようなインターリーバ構造が、繰り返された符号の半分を正確に廃棄する。この好適な第４の実施例において、この符号は、平均エネルギー、すなわちベースラインエネルギーが0.335Ｅにおいて伝送される。
【００３１】
図２は、図１に示す変調器２６の典型的な一例を示す機能ブロック図である。第１の補足データチャンネルデータが、ライン３８を介して拡散素子５２に出力される。拡散素子５２は、予め定められた拡散シーケンスに従って補足チャンネルデータを取り扱う。典型的な実施例として、拡散素子５２は、補足チャンネルデータを短いＷａｌｓｈシーケンス(++--)で拡散する。拡散データは、相対ゲイン素子５４に出力される。相対ゲイン素子５４は、パイロットおよび電力制御符号のエネルギーに関連した拡散補足チャンネルデータのゲインを調節する。補足チャンネルデータを調節したゲインは、加算器５６の第１の加算入力として出力される。パイロットと電力制御とを同時伝送した符号は、ライン４０を介して加算素子５６の第２の加算入力として入力される。
【００３２】
制御チャンネルデータは、ライン４２を介して拡散素子５８に出力される。拡散素子５８は、予め定められた拡散シーケンスに従って補足チャンネルデータを取り扱う。典型的な実施例としては、拡散素子５８は、補足チャンネルデータを短いＷａｌｓｈシーケンス(++++++++--)で拡散する。拡散データは、相対ゲイン素子６０に出力される。相対ゲイン素子６０は、パイロットおよび電力制御符号のエネルギーに関連した拡散制御チャンネルデータのゲインを調節する。このゲインが調節された制御データは、加算器５６の第３の加算入力として出力される。
【００３３】
加算素子５６は、ゲイン調節された制御データ符号、ゲイン調節された補足チャンネル符号、およびパイロットと電力制御符号とを同時伝送した時間を加算する。更に、その合計を、乗算器７２および乗算器７８に対してそれぞれ第１の入力として出力する。
【００３４】
第２の補足チャンネルデータは、ライン４４を介して拡散素子６２に出力される。拡散素子６２は、予め定めた拡散シーケンスに従って補足チャンネルデータを取り扱う。典型的な実施例としては、拡散素子６２は、補足チャンネルデータを短いＷａｌｓｈシーケンス(+-)で拡散する。拡散データは、相対ゲイン素子６４に出力される。相対ゲイン素子６４は、拡散補足チャンネルデータのゲインを調節する。ゲインが調節された補足チャンネルデータは、加算器６６の第１の加算入力として出力される。
【００３５】
基本チャンネルデータは、ライン４６を介して拡散素子６８に出力される。拡散素子６８は、予め定められた拡散シーケンスに従って基本チャンネルデータを取り扱う。典型的な実施例として、拡散素子６８は、基本チャンネルデータを短いＷａｌｓｈシーケンス(++++---++++----)で拡散する。拡散データは、相対ゲイン素子７０に出力される。相対ゲイン素子７０は、基本チャンネルデータのゲインを調節する。ゲインが調節された基本チャンネルデータは、加算器６６の第２の加算入力として出力される。
【００３６】
加算素子６６は、ゲイン調節された第２の補足チャンネルデータ符号と、基本チャンネルデータとを加算する。そして、その合計を、乗算器７４および乗算器７６に対してそれぞれ第１の入力として出力する。
【００３７】
典型的な実施例として、２つの異なる短いＰＮシーケンス（ＰＮＩとＰＮＱ）を用いた疑似ノイズ拡散が、このデータを拡散させるのに用いられる。典型的な実施例において、この短いＰＮシーケンスであるＰＮＩとＰＮＱとは、付加的なプライバシーを備えるために、長いＰＮコードによって乗算される。疑似ノイズシーケンスの生成は本技術分野では良く知られており、上述した米国特許 5,103,459号で詳しく記載されている。長いＰＮシーケンスは、乗算器８０および乗算器８２に対して第１の入力として出力される。短いＰＮシーケンスであるＰＮＩは、乗算器８０に第２の入力として出力される。また、短いＰＮシーケンスであるＰＮＱは、乗算器８２に第２の入力として出力される。
【００３８】
乗算器８０からの結果として得られるＰＮシーケンスは、乗算器７２および乗算器７４に対してそれぞれ第２の入力として出力される。乗算器８２からの結果として得られるＰＮシーケンスは、乗算器７６および乗算器７８に対してそれぞれ第２の入力として出力される。乗算器７２からの乗積シーケンスは、減算器８４の加算入力として減算器８４に出力される。乗算器７４からの乗積シーケンスは、減算器８４の第１の加算用入力として減算器８６に出力される。乗算器７６からの乗積シーケンスは、減算器８４の減算用入力として減算器８４に出力される。乗算器７６からの乗積シーケンスは、加算器８６の第２の加算用入力として加算器８６に出力される。
【００３９】
減算器８４からの差分シーケンスは、ベースバンドフィルタ８８に出力される。ベースバンドフィルタ８８は、異なるシーケンスによって必要なフィルタリング処理を行い、フィルタリングされたシーケンスをゲイン素子９２に出力する。ゲイン素子９２は、信号のゲインを調節し、ゲイン調節された信号をアップコンバータ９６に出力する。アップコンバータ９６は、ＱＰＳＫ変調形式に従ってゲイン調節された信号をアップコンバートし、このアップコンバートされた信号を加算器１００の第１の入力として出力する。
【００４０】
加算器８６からの合計シーケンスは、ベースバンドフィルタ９０に出力される。ベースバンドフィルタ９０は、異なるシーケンスによって必要なフィルタリング処理を行い、フィルタリングされたシーケンスをゲイン素子９４に出力する。ゲイン素子９４は、信号のゲインを調節し、ゲイン調節された信号をアップコンバータ９８に出力する。アップコンバータ９８は、ＱＰＳＫ変調形式に従ってゲイン調節された信号をアップコンバートし、このアップコンバートされた信号を加算器１００の第２の入力として出力する。加算器１００は、２つのＱＰＳＫ変調信号を合計し、合計結果をトランスミッタ２８に出力する。
【００４１】
さて、図１０は、本発明に従った基地局４００の選択された部位を示す機能ブロック図である。無線通信装置５０（図１）からのリバースリンクＲＥ信号は、受信器（ＲＣＶＲ）４０２によって受信される。この受信器（ＲＣＶＲ）４０２は、受信したリバースリンク信号を、ベースバンド周波数にダウンコンバートする。典型的な実施例として、受信器４０２は、ＱＰＳＫ復調形式に従って、受信した信号をダウンコンバートする。その後、ベースバンド信号は、復調器４０４によって復調される。復調器４０４は、図１１を用いて後で詳述する。
【００４２】
復調された信号は、積算器４０５に出力される。積算器４０５は、冗長に伝送された電力制御グループ符号の符号エネルギーを積算する。蓄積された符号エネルギーは、逆インターリーバ４０６に出力される。逆インターリーバ４０６は、予め定められた逆インターリーバ形式に従って符号を再加工する。この再加工された符号は、伝送されたフレームの評価結果を付け加えるために、符号を復号するデコーダ４０８に出力される。伝送されたフレームの評価結果は、ＣＲＣチェック部４１０に出力される。ＣＲＣチェック部４１０は、伝送されたフレームに含まれるＣＲＣビット信号に基づいて、フレームの評価結果の精度を判定する。
【００４３】
典型的な実施例として、基地局４００は、リバースリンク信号についてブラインド復号を行う。ブラインド復号とは、可変速データを復号するための１つの方法であり、受信器は、伝送速度に関する優先度を認識していない。典型的な実施例では、基地局４００は、個々に可能な速度を仮定することによって、データを積算し、逆インターリーブし、そして復号する。最良の評価結果として選択されたフレームは、符号エラー速度、ＣＲＣチェック、およびＹａｍａｍｏｔｏ式メートル法といった品質メトリックに基づいている。
【００４４】
復調された符号は、また、復調器４０４から信号ノイズ比（ＳＮＲ）計算機４１２へと出力される。典型的な実施例では、ＳＮＲ計算機４１２は、受信されたリバースリンク信号の信号ノイズ比を概算する。リバースリンク電力制御信号に基づき使用が可能な受信電力のように、他の信号品質メトリックは、当業者がその価値を認めるであろう。
【００４５】
ＳＮＲ計算機４１２から出力される信号品質メトリックは、コンパレータ４１４に出力される。コンパレータ４１４は、この信号品質メトリックを、ある閾値と比較する。この閾値は、固定値でも可変値でもよい。典型的な実施例として、この閾値は、外部ループ処理によって制御される。外部ループ処理では、リバースリンク信号を受信した場合に、所望する信頼度レベルを与えることができるように閾値を変化させる。
【００４６】
比較結果の信号表示結果は、電力制御コマンドジェネレータ４１６に出力される。典型的な実施例として、信号品質メトリックがこの閾値よりも小さい場合には、「０」が送信される。一方、信号品質メトリックが閾値を超える場合には、「１」が送信される。
【００４７】
典型的な実施例として、閉ループ電力制御コマンドは、フォワード専用のトラフィックデータと同時に送信される。電力制御コマンドは、マルチプレクサ（ＭＵＸ）４１８に出力される。このマルチプレクサ（ＭＵＸ）４１８は、電力制御コマンドを、予め定められた場所のトラフィックデータと結合する。基地局４００と通信している各遠隔局に出力されたトラフィックデータ、および上記結合された電力制御コマンドは、パイロットチャンネルやオーバーヘッドチャンネルと同様に、変調器４２０において変調される。典型的な実施例として、トラフィックチャンネルの変調は、リバースリンクの基本チャンネルの変調と同様である。典型的な実施例におけるこのフォワードリンクは、cdma2000 ITU Candidate submissionに従って変調されたＣＤＭＡ信号である。この変調されたデータは、トランスミッタ（ＴＭＴＲ）４２２に出力される。トランスミッタ（ＴＭＴＲ）４２２は、遠隔局５０に伝送するためにこの信号をアップコンバートし、増幅し、フィルタ処理する。
【００４８】
さて、図１１は、復調器４０４の単一復調チェーンの実施例を示す機能ブロック図である。好適な実施例として、復調器４０４は、各情報チャンネルに対して１つの復調チェーンを有している。図１１に示す典型的な復調器４０４は、図１に示す典型的な変調器２６によって変調された信号に対して、複雑な復調処理を行う。既に記載したとおり、受信器（ＲＣＶＲ）４０２は、受信したリバースリンクＲＦ信号を、ベースバンド周波数へダウンコンバートし、Ｉベースバンド信号と、Ｑベースバンド信号を生成する。デスプレッダ５０２，５０４は、それぞれ図１からのロングコードを用いることによってＩベースバンド信号とＱベースバンド信号とを逆拡散処理する。ベースバンドフィルタ（ＢＢＦ）５０６，５０８は、Ｉベースバンド信号とQベースバンド信号とをそれぞれフィルタ処理する。
【００４９】
デスプレッダ５１０，５１２は、それぞれ図２からのＰＮＩシーケンスを用いることによってＩ信号とＱ信号とを逆拡散処理する。同様に、デスプレッダ５１４，デスプレッダ５１６は、それぞれ図２からのＰＮＱシーケンスを用いることによってＱ信号とＩ信号とを逆拡散処理する。デスプレッダ５１０，５１４の出力は、結合器５１８において結合される。結合器５２０では、デスプレッダ５１６の出力は、デスプレッダ５１２の出力から減算される。
【００５０】
結合器５１８，５２０の出力は、Ｗａｌｓｈアンカバナー５２２，５２４においてそれぞれＷａｌｓｈアンカバー処理がなされる。この処理では、図２に示すように、特に重要なチャンネルをカバーするために用いられたＷａｌｓｈコードによって行われる。Ｗａｌｓｈアンカバナー５２２，５２４からの出力は、積算器５３０，５３２によってそれぞれ、１つのＷａｌｓｈ符号に亘って積算される。
【００５１】
積算器５１８，５２０からの出力もまた、積算器５２６，５２８によってそれぞれ、１つのＷａｌｓｈ符号に亘って積算される。積算器５２６，５２８からの出力は、パイロットフィルタ５３４，５３６にそれぞれ出力される。パイロットフィルタ５３４，５３６は、パイロット信号データ４０の概算ゲインと位相とを決定することによって、チャンネル条件の概算データを生成する（図１参照）。パイロットフィルタ５３４の出力は、複合乗算器５３８，５４０において、それぞれ積算器５３０，５３２の出力が用いられ複合的に乗算される。同様に、パイロットフィルタ５３６の出力は、複合乗算器５４２，５４４において、それぞれ積算器５３０，５３２の出力が用いられ複合的に乗算される。更に、複合乗算器５４２の出力は、結合器５４６において複合乗算器５３８の出力が用いられて加算される。複合乗算器５４４の出力は、結合器５４８において、複合乗算器５４０の出力から減じられる。最後に、結合器５４６，５４８の出力は、結合器５５０において結合され、積算器４０５に入力するための重要な復調信号を生成する。
【００５２】
図１２は、信号ノイズ比を測定する装置の典型例を示す図である。典型的な実施例として、受信信号におけるノイズを評価するために、受信したリバースリンク信号におけるエネルギー分散が評価される。パイロットフィルタ処理以前の復調パイロット符号、および加算器５２６，５２８からの出力は、分散コンピュータ６００に出力される。信号のエネルギーは、復調後にパイロットフィルタ５３４，５３６においてフィルタ処理され、更に出力された受信パイロット符号を２乗し、それらを合計することによって取得される。分散計算機６００によって取得されたノイズエネルギーと、エネルギー計算機６０２から出力された信号エネルギーとは、それぞれ分配器６０４に出力される。信号エネルギーは、取得されたノイズエネルギーによって規格化される。更に、典型的な実施例では、信号品質メトリックとしてコンパレータ４１４に出力される。ノイズに対する信号比を計算する別の方法もまた、この技術分野においては良く知られており、本発明の範囲内である。
【００５３】
さて、図１３は、遠隔局５０の受信サブシステムを示す図である。フォワードリンク信号が受信されると、デュプレクサ３０を介して受信器７００に出力される。受信器７００は、この受信信号をダウンコンバートし、増幅し、更にフィルタ処理する。典型的な実施例では、受信器７００は、ＱＰＳＫ復調形式に従って受信信号をダウンコンバートする。
【００５４】
この受信信号成分（位相および直角位相成分）は、復調器７０２に出力される。典型的な実施例では、復調器７０２は、復調器４０４に関して記載したものと同様に動作する。この復調された符号は、逆マルチプレクサ７０４に出力される。逆マルチプレクサ７０４は、リバースリンク電力制御コマンドを、トラフィックデータ符号から分離する。このトラフィックデータ符号は逆インターリーバ７０６に出力される。逆インターリーバ７０６は、予め定められた逆インターリーバ形式に従って、復調されたトラフィック符号を再加工する。この再加工された符号は、その後、デコーダ７０８に出力され、復号化される。
【００５５】
電力制御コマンドは、電力制御プロセッサ７１０に出力される。本発明では、１／８速度のゲートフレームに対応して出力された電力制御コマンドのパターンを認識することによって、フレームの一部がゲート出力される。基地局４００では、信号エネルギーが計算され、規格化された後に、閾値と比較される。この比較結果に基づいて、リバースリンク電力制御コマンドが生成される。しかしながら、ゲート出力されたフレームの部分では、基地局４００において生成されたリバースリンク電力制御コマンドは、１／８速度のフレームでゲートされた部分の信号エネルギーには基づいておらず、常にトランスミッタに対して送信したり、「ＵＰ」あるいは「１」コマンドによって、伝送エネルギーを増加するような要求を示すようになる。
【００５６】
第１の実施例では、図６に示すように、それぞれ1.25ミリ秒間隔でゲートオフされるようにフレームが伝送される。従って、トランスミッタ２８はまず、最初の1.25ミリ秒の間ゲートオフされる。そして、第２の電力制御グループ（ＰＣＧ１）は、次の1.25ミリ秒の間、エネルギーＥ１で伝送される。第３の電力制御グループ（ＰＣＧ２）は、ゲートオフされる。この実施例では、すべての偶数番目のＰＣＧＳ（0、2、4、6、8、10、12、14）がゲートオフされる一方、すべての奇数番目のＰＣＧＳ（1、3、5、7、9、11、13、15）は伝送される。
【００５７】
このような形式の１／８速度ゲートフレームの受信に応じて、基地局４００は、図１４に示すような電力制御ビット信号ストリームを生成する。ゲートオフされているフレームである偶数番目の電力制御グループに応じて、基地局４００は、電力制御コマンドを伝送する。これは、遠隔局に対して、「１」コマンドで示すように、伝送エネルギーを増加するように要求するものである。ゲートオンされているフレームである奇数番目の電力制御グループに応じて、基地局４００は、重要な電力制御コマンドを伝送する。これは、遠隔局に対して、「１／０」コマンドで示すように、伝送エネルギーを増加させるか、あるいは減少させるかを要求するものである。
【００５８】
本発明における好適な実施例である第２の実施例では、図７に示されているように、フレームは2.5ミリ秒間隔で交互にゲートオフされるように伝送される。図７に示すような伝送方法では、好ましいことに、最適なバッテリー節約効果と、リバースリンク能力とがもたらされる。初めの2.5ミリ秒間（ＰＣＧ０とＰＣＧ１）は、トランスミッタ２８はゲートオフされる。そして、トランスミッタ２８は、次の2.5ミリ秒間（ＰＣＧ２とＰＣＧ３）ゲートオンされる。この実施例において、ＰＣＧＳ 2、3、6、7、10、11、14、および15はゲートオンされる一方、ＰＣＧＳ 0、1、4、5、8、9、12、および13はゲートオフされる。
【００５９】
このような形式の１／８速度ゲートフレームの受信に応じて、基地局４００は、図１５に示すような電力制御ビット信号ストリームを生成する。ゲートオフされているフレーム（ＰＣＧＳ 0, 1, 4, 5, 8, 9, 12, 13）の電力制御グループに応じて、基地局４００は、電力制御コマンドを伝送する。これは、遠隔局に対して、「１」コマンドで示すように、伝送エネルギーを増加するように要求するものである。ゲートオンされているフレーム（ＰＣＧＳ 2, 3, 6, 7, 10, 11, 14, 15）である電力制御グループに応じて、基地局４００は、重要な電力制御コマンドを伝送する。これは、遠隔局に対して、「１／０」コマンドで示すように、伝送エネルギーを増加させるか、あるいは減少させるかを要求するものである。
【００６０】
第３の実施例では、図８に示されているように、フレームは5.0ミリ秒間隔で交互にゲートオフされるように伝送される。初めの5.0ミリ秒間（ＰＣＧ０からＰＣＧ３）は、トランスミッタ２８はゲートオフされる。そして、次の5.0ミリ秒の間に、ＰＣＧＳ 4、5、6、および7等が伝送される。この実施例では、ＰＣＧＳ 4、5、6、7、12、13、14、および15が伝送され、ＰＣＧＳ 0、1、2、3、8、9、10、および11がゲートオフされる。
【００６１】
このような形式の１／８速度ゲートフレームの受信に応じて、基地局４００は、図１６に示すような電力制御ビット信号ストリームを生成する。ゲートオフされているフレーム（ＰＣＧＳ 0, 1, 2, 3, 8, 9, 10, 11）の電力制御グループに応じて、基地局４００は、電力制御コマンドを伝送する。これは、遠隔局に対して、「１」コマンドで示すように、伝送エネルギーを増加するように要求するものである。ゲートオンされているフレーム（ＰＣＧＳ 4, 5, 6, 7, 12, 13, 14, 15)である電力制御グループに応じて、基地局４００は、重要な電力制御コマンドを伝送する。これは、遠隔局に対して、「１／０」コマンドで示すように、伝送エネルギーを増加させるか、あるいは減少させるかを要求するものである。
【００６２】
第４の実施例では、図９に示されているように、フレームは10ミリ秒間隔で交互にゲートオフされるように伝送される。そして、次の10ミリ秒の間に、ＰＣＧＳ８から１５までが伝送される。この実施例では、ＰＣＧＳ 8, 9, 10, 11, 12, 13, 14, 15 が伝送され、ＰＣＧＳ 0, 1, 2, 3, 4, 5, 6, 7がゲートオフされる。この実施例においてゲートオフがなされている間は、上述したようなインターリーバ構造は、繰り返された符号の半分を正確に廃棄する。この好適な第２の実施例において、符号は、平均エネルギー、すなわちベースラインエネルギーが0.335Ｅにおいて伝送される。
【００６３】
このような形式の１／８速度ゲートフレームの受信に応じて、基地局４００は、図１７に示すような電力制御ビット信号ストリームを生成する。ゲートオフされているフレーム（ＰＣＧＳ 0, 1, 2, 3, 4, 5, 6, 7）の電力制御グループに応じて、基地局４００は、電力制御コマンドを伝送する。これは、遠隔局に対して、「１」コマンドで示すように、伝送エネルギーを増加するように要求するものである。ゲートオンされているフレーム（ＰＣＧＳ 8, 9, 10, 11, 12, 13, 14, 15）である電力制御グループに応じて、基地局４００は、重要な電力制御コマンドを伝送する。これは、遠隔局に対して、「１／０」コマンドで示すように、伝送エネルギーを増加させるか、あるいは減少させるかを要求するものである。
【００６４】
本発明において、電力制御プロセッサ７１０は、電力制御コマンドストリームにおける代表的なパターンによってゲートされた１／８速度フレームに関連して生成されたリバースリンク電力制御コマンドを認識する。典型的な実施例として、電力制御プロセッサは、膨大な電力制御コマンドの認識を補助するために、可変速データソースによって提供された速度情報も用いる。
【００６５】
電力制御コマンドは、電力制御プロセッサ７１０に出力される。電力制御プロセッサ７１０は、この受信した電力制御ビット信号評価をメモリ素子７１２と、電力制御コマンドジェネレータ７１６に出力する。
【００６６】
本発明の第１の典型的な実施例として、電力制御プロセッサは、まず、受信した電力制御ビット信号が、ゲートされた１／８速度フレームに応答したものではなかったと仮定し、受信した電力制御ビット信号評価に基づくリバースリンク信号の伝送エネルギーを調節する。そして、現フレームに対する電力制御ビット信号評価が、予め定められた数受信された後に、メモリ素子７１２は、この評価結果をパターン認識手段７１４に出力する。このパターン認識手段７１４は、図１４から図１７に示すようなキャラクタパターンに基づいて、１／８速度でゲートされたフレームに基づく電力制御コマンドストリームを認識する。
【００６７】
仮に、現フレームに基づいて受信された電力制御ビット信号評価が、基地局４００によって受信され、１／８速度でゲートされたフレームである場合には、パターン認識手段７１４は、電力制御コマンドジェネレータ７１６に信号を出力し、残りのフレームのために受信した電力制御ビット信号評価に基づく伝送エネルギーの調節を阻止する。
【００６８】
改良例として、パターン認識手段７１４は、電力制御コマンドジェネレータ７１６に信号を出力し、電力制御コマンドに対する現セット値を、１／８速度でゲートされたフレームに基づいて生成するように指示する。更に、電力制御コマンドジェネレータは、トランスミッタ２８に信号を送信し、伝送エネルギーに対する増加分を無効にする。この伝送エネルギーは、１／８速度でゲートされたフレーム部に基づいて生成された電力制御ビット信号の結果得られたものである。
【００６９】
更に別の実施例では、電力制御コマンドジェネレータ７１６が停止され、現在受信された電力制御ビット信号評価結果が基づいているフレームが、１／８速度フレームではないという判断がなされた後に、電力制御コマンドジェネレータ７１６の再起動がなされる。
【００７０】
第３の改良例では、仮に、直前に受信された電力制御ビット信号評価結果が基づいている直前フレームが１／８速度フレームである場合には、電力制御プロセッサ７１０は、現在受信された電力制御ビット信号評価結果が基づいているフレームが、１／８速度フレームであるものと仮定する。これは、話しの中断が、単一のフレームの持続時間よりも長い時間間隔で生じるという事実に基づいている。例えば、聞くために話を中断すると、その中断時間は、多くのフレーム間隔に亘って持続することが可能であり、しかもこのフレームは、直前のフレームが１／８速度である場合、１／８速度である可能性は実質的に高い。本実施例では、電力制御コマンドジェネレータ７１６がまず停止され、現在受信された電力制御ビット信号評価結果が基づいているフレームが、１／８速度フレームではないという判断がなされた後に、電力制御コマンドジェネレータ７１６の再起動がなされる。
【００７１】
変形例では、遠隔局によって伝送されたフレームの速度が、メモリ素子７１２に出力される。この方式によって、一旦第１の１／８速度フレームが認識されると、遠隔局は、１／８速度でゲートされたフレームに基づく電力制御ビット信号を、更にどの程度予期すべきか把握するようになる。
【００７２】
典型的な実施例を示した前記記載によって、いかなる当業者であっても、本発明を理解し、あるいは利用することができる。上述した実施例に対する種々の変形もまた当業者にとっては、容易かつ明白なことであり、本明細書で定義された一般的な原理は、何ら発明的な能力を要することなく他の実施例に適用される。従って、本発明は、上記に示した実施例に制限されるものでは決してなく、本明細書で開示された原理、および斬新な特徴に一貫したより広い範囲の技術も含んでいる。
【図面の簡単な説明】
【図１】  無線通信装置において具体化された本発明の伝送システムの典型例を示す機能ブロック図。
【図２】  図１に示す変調器の典型的な一例を示す機能ブロック図。
【図３】  完全速度フレームにおける時間に対する伝送エネルギーを示す図。
【図４】  １／２速度フレームにおける時間に対する伝送エネルギーを示す図。
【図５】  １／４速度フレームにおける時間に対する伝送エネルギーを示す図。
【図６】  １／８速度フレームにおける時間に対する伝送エネルギーを示す図（例１）。
【図７】  １／８速度フレームにおける時間に対する伝送エネルギーを示す図（例２）。
【図８】  １／８速度フレームにおける時間に対する伝送エネルギーを示す図（例３）。
【図９】  １／８速度フレームにおける時間に対する伝送エネルギーを示す図（例４）。
【図１０】  本発明に従った基地局の選択された部位を示す機能ブロック図。
【図１１】  復調器の単一復調チェーンの実施例を示す機能ブロック図。
【図１２】  信号ノイズ比を測定する装置の典型例を示す機能ブロック図。
【図１３】  遠隔局の受信サブシステムの一例を示す機能ブロック図。
【図１４】  １／８速度フレームに対して生成された電力制御ビット信号ストリームの一例を示すパターン図。
【図１５】  １／８速度フレームに対して生成された電力制御ビット信号ストリームの一例を示すパターン図。
【図１６】  １／８速度フレームに対して生成された電力制御ビット信号ストリームの一例を示すパターン図。
【図１７】  １／８速度フレームに対して生成された電力制御ビット信号ストリームの一例を示すパターン図。
【図１】
0004541618.tif 000002
【図２】
0004541618.tif 000003
【図３】
0004541618.tif 000004
【図４】
0004541618.tif 000005
【図５】
0004541618.tif 000006
【図６】
0004541618.tif 000007
【図７】
0004541618.tif 000008
【図８】
0004541618.tif 000009
【図９】
0004541618.tif 000010
【図１０】
0004541618.tif 000011
【図１１】
0004541618.tif 000012
【図１２】
0004541618.tif 000013
【図１３】
0004541618.tif 000014
【図１４】
0004541618.tif 000015
【図１５】
0004541618.tif 000016
【図１６】
0004541618.tif 000017
【図１７】
0004541618.tif 000018